(57)【特許請求の範囲】
【請求項１】
記録指示に応じて、映像信号及び音声信号のいずれか１つもしくはこれらの組み合わせを含む放送素材信号をビデオサーバに記録し、再生指示に応じて、ビデオサーバに記録された放送素材信号を再生出力する放送素材編集装置において、
複数の入出力系統の伝送経路を切り替える切替スイッチと、
前記切替スイッチの少なくとも一部の入力端子に接続され、前記映像信号を送出する第１の信号送出器と、
前記切替スイッチの前記第１の信号送出器が接続されない入力端子に接続され、前記音声信号を送出する第２の信号送出器と、
前記切替スイッチの少なくとも一部の出力端子に接続され、前記第１及び第２の信号送出器からそれぞれ出力される映像信号及び音声信号を組み合わせて、前記放送素材信号として前記ビデオサーバに出力する信号合成器と、
前記ビデオサーバへの記録指示に応じて、任意の映像信号及び任意の音声信号を前記信号合成器に出力するように前記第１及び第２の信号送出器を送出制御して前記切替スイッチへの入力タイミングを合わせた上で、前記切替スイッチの切替制御を行い、前記ビデオサーバに対し記録開始制御を行う制御器とを具備したことを特徴とする放送素材編集装置。
【請求項２】
前記第１の信号送出器は、前記映像信号として静止画像信号及び動画像信号の少なくとも１つを送出することを特徴とする請求項１記載の放送素材編集装置。
【請求項３】
さらに、前記切替スイッチの前記第１及び第２の信号送出器が接続されない入力端子に接続され、前記映像信号及び前記音声信号とは異なるデータ信号を送出する第３の信号送出器を備えることを特徴とする請求項１記載の放送素材編集装置。
【発明の詳細な説明】
【技術分野】
【０００１】
この発明は、例えばＴＶ（テレビジョン）放送やラジオ放送のＣＭ（コマーシャル）素材を編集して送出する放送素材編集装置に関する。
【背景技術】
【０００２】
周知のように、例えばＴＶ放送やラジオ放送のＣＭ素材を送出するＣＭ送出システムにあっては、ＣＭ素材を記録し、任意のタイミングでＣＭ素材を再生するビデオサーバが使用されている。
【０００３】
ところで、このようなシステムでは、ＴＶ放送波により放送すべきＣＭ素材をＶＴＲ（Video Tape Recorder）等の映像用編集装置により編集し、この編集したＣＭ素材をビデオサーバに転送して記録するようにしている。また、ＴＶ放送波により放送するＣＭ素材と同じ内容のＣＭ素材をラジオ放送波により放送する場合に、該ＣＭ素材を音声用編集装置により編集し、この編集したＣＭ素材をビデオサーバに転送してＴＶ放送波用のＣＭ素材と別の記憶領域に記録するようにしている。
【０００４】
ところが、上記システムでは、ＣＭ素材の編集及び放送までの作業の大半を人手により行われるため、ＣＭ編集に多くの手間と時間がかかるとともに、人為的ミスも発生しやすい。なお、従来では、マトリクススイッチを用いて、画像処理部及び音声処理部等を含む編集処理経路と、ＶＴＲ等に記録するＣＭ素材を送出する信号経路とを分離して、画像処理部及び音声処理部等によってなされる編集処理と並行して、ＶＴＲ等への記録を行なう編集システムが提案されている（例えば、特許文献１）。
【特許文献１】特開平１０−２８３７２５号公報。
【発明の開示】
【発明が解決しようとする課題】
【０００５】
しかしながら、上記編集システムでは、編集処理経路と記録用経路とで別々に設ける必要があり、このため、システムの構成が大掛かりなものになる。また、同じＣＭ素材であっても、ＴＶ放送波用とラジオ放送波用とでＣＭ素材を別々に編集する必要があるため、編集作業に多くの手間がかかる。
【０００６】
そこで、この発明の目的は、放送素材信号の編集から放送までの処理を簡単かつ短時間に行なえるようにするとともに、操作者の負担を大幅に軽減し得る放送素材編集装置を提供することにある。
【課題を解決するための手段】
【０００７】
この発明は、上記目的を達成するために、以下のように構成される。  
記録指示に応じて、映像信号及び音声信号のいずれか１つもしくはこれらの組み合わせを含む放送素材信号をビデオサーバに記録し、再生指示に応じて、ビデオサーバに記録された放送素材信号を再生出力する放送素材編集装置において、複数の入出力系統の伝送経路を切り替える切替スイッチと、切替スイッチの少なくとも一部の入力端子に接続され、映像信号を送出する第１の信号送出器と、切替スイッチの第１の信号送出器が接続されない入力端子に接続され、音声信号を送出する第２の信号送出器と、切替スイッチの少なくとも一部の出力端子に接続され、第１及び第２の信号送出器からそれぞれ出力される映像信号及び音声信号を組み合わせて、放送素材信号としてビデオサーバに出力する信号合成器と、ビデオサーバへの記録指示に応じて、任意の映像信号及び任意の音声信号を信号合成器に出力するように第１及び第２の信号送出器、及び切替スイッチを制御する制御器とを備えるようにしたものである。
【０００８】
この構成によれば、切替スイッチの少なくとも一部の入力端子に第１の信号送出器を接続し、第１の信号送出器が接続されていない入力端子に第２の信号送出器を接続し、切替スイッチの出力端子に信号合成器を接続するようにし、制御器において、第１及び第２の信号送出器を送出制御して、それぞれの切替スイッチへの入力タイミングを合わせた上で切替スイッチの切替制御を行って信号合成器で任意の映像信号と任意の音声信号とを合成し、ビデオサーバに記録するようにしている。
【０００９】
従って、第１の信号送出器に映像信号を記録しておき、第２の信号送出器に音声信号を記録しておくだけで、映像信号及び音声信号の送出処理からビデオサーバへの放送素材信号の記録処理までの工程が、人手を要することなく１台の制御器によりすべて行われることになるので、映像信号と音声信号とを組み合わせた放送素材信号を編集して信号送出器に記録しておく必要がなく、放送素材信号の編集から放送までの処理を簡単かつ短時間に行なえるようになり、操作者の負担を大幅に軽減できる。
【００１０】
また、第１の信号送出器に記録されている映像信号及び第２の信号送出器に記録されている音声信号のうち、将来放送される放送素材信号で使用できるものは再度使用できるので、この点でも放送素材信号の編集から放送までの処理を簡単かつ短時間に行なうことができ、操作者の負担を大幅に軽減できる。
【００１１】
第１の信号送出器は、映像信号として静止画像信号及び動画像信号の少なくとも１つを送出することを特徴とする。  
この構成によれば、例えば地方のＣＭのように静止画像信号と音声信号との組み合わせによる放送素材信号を放送する場合に、第１の信号送出器から任意の静止画像信号を読み出すだけでよいので、従来では操作者により静止画像信号と音声信号とを組み合わせる場合に比して、放送素材信号の編集から放送までの処理を簡単かつ短時間に行なうことができる。
【００１２】
さらに、切替スイッチの第１及び第２の信号送出器が接続されない入力端子に接続され、映像信号及び音声信号とは異なるデータ信号を送出する第３の信号送出器を備えることを特徴とする。
【００１３】
この構成によれば、切替スイッチの空きの入力端子に第３の信号送出器を接続するだけで、任意の映像信号と任意の音声信号と任意のデータ信号とを組み合わせた放送素材信号を容易に生成できる。
【発明の効果】
【００１４】
以上詳述したようにこの発明によれば、放送素材信号の編集から放送までの処理を簡単かつ短時間に行なえるようにするとともに、操作者の負担を大幅に軽減し得る放送素材編集装置を提供することができる。
【発明を実施するための最良の形態】
【００１５】
以下、この発明の実施形態について図面を参照して詳細に説明する。  
図１は、この発明の一実施形態となる放送素材編集装置の構成を示すもので、１１はマトリクススイッチャーである。なお、ここでは説明を簡単にするため、マトリクススイッチャー１１の入力チャンネル（系統）数を４チャンネルとし、出力チャンネル数を２チャンネルとする。
【００１６】
この実施形態では、マトリクススイッチャー１１の第１入力チャンネルにＶＴＲ１２を接続し、第２入力チャンネルにＤＶＤ(Digital Versatile Disk)レコーダ１３を接続し、第３及び第４入力チャンネルに音声素材送出器（ＭＤ１，ＭＤ２）１４，１５を接続し、第１及び第２出力チャンネルに映像・音声合成器（映・音コンバイン）１６を接続している。これらは１つの筐体に組み込んでもよいが、マトリクススイッチャー１１をネットワーク管理室に設置し、ＶＴＲ１２、ＤＶＤレコーダ１３、音声素材送出器１４，１５、映像・音声合成器１６を各スタジオに配置するようにしてもよい。
【００１７】
映像・音声合成器１６の出力端子には、ビデオサーバ１７が接続される。上記マトリクススイッチャー１１、ＶＴＲ１２、ＤＶＤレコーダ１３、音声素材送出器１４，１５及びビデオサーバ１７は、制御ＬＡＮ(Local Area Network)１８を介して制御器としての端末装置１９に接続される。
【００１８】
上記端末装置１９は、ＶＴＲ１２、ＤＶＤレコーダ１３、音声素材送出器１４，１５に対し、ユーザ指定入力操作による制御コマンドに従って任意の映像素材及び任意の音声素材を送出させ、マトリクススイッチャー１１に対し、制御コマンドに従って任意の入出力チャンネル間を接続させる。そして、ビデオサーバ１７に対し記録開始制御を行う。なお、制御コマンドには、いつ実行するかの旨を示すタイミング情報が含まれている。
【００１９】
次に、上記構成における処理動作について説明する。図２は、端末装置１９の制御処理手順を示すフローチャートである。  
ビデオサーバ１７に対しＣＭ素材の記録を行なう場合にオペレータは、端末装置１９を起動する。このとき、マトリクススイッチャー１１、ＶＴＲ１２、ＤＶＤレコーダ１３、音声素材送出器１４，１５、ビデオサーバ１７は電源ＯＮの状態であるものとする。
【００２０】
すると、端末装置１９は、ＶＴＲ１２、ＤＶＤレコーダ１３、音声素材送出器１４，１５に記録されている映像素材／音声素材のリストをディスプレイ１９１に表示する（ステップＳＴ２ａ）。そして、この状態でオペレータが収録を希望する映像素材／音声素材をキーボード／マウス１９２により選択指定、つまり記録開始ボタンを押下すると、端末装置１９はステップＳＴ２ｂからステップＳＴ２ｃに移行して、ここで上記選択指定された映像素材及び音声素材が記録されるＶＴＲ１２及び音声素材送出器１４に対し再生開始の制御コマンドを送出し、マトリクススイッチャー１１に対しＶＴＲ１２及び音声素材送出器１４と映像・音声合成器１６とを接続させるための制御コマンドを送出し、ビデオサーバ１７に対し収録開始の制御コマンドを送出する。
【００２１】
ＶＴＲ１２及び音声素材送出器１４から送出された映像素材及び音声素材は、映像・音声合成器１６により合成され１つのＣＭ素材になった後、ビデオサーバ１７へＳＤＩエンベデッド信号として収録される。
【００２２】
収録途中で、映像または音声素材の切替タイミングがきた場合に、マトリクススイッチャー１１の切替ポイントを切り替えて別の素材を選択する。切替時は、映像に切れ目などの不体裁が生じたり音声にノイズが乗ったりしないシステムとなっている。これはマトリクススイッチャー１１の仕様による。
【００２３】
ビデオサーバ１７に記録されたＣＭ素材は、プレビュー再生することにより映像モニタ・オーディオスピーカ２０で視聴確認が可能となる。  
なお、上記ステップＳＴ２ｂにおいて、オペレータが映像素材／音声素材の選択指示を一時的に停止する場合のように、選択指示を入力しなかった場合には、端末装置１９は処理を終了する。
【００２４】
以上のように上記実施形態では、マトリクススイッチャー１１の第１入力チャンネルにＶＴＲ１２を接続し、第２入力チャンネルにＤＶＤレコーダ１３を接続し、第３及び第４入力チャンネルに音声素材送出器１４，１５を接続し、出力チャンネルに映像・音声合成器１６を接続するようにし、端末装置１９において、ＶＴＲ１２、ＤＶＤレコーダ１３、音声素材送出器１４，１５を送出制御して、それぞれのマトリクススイッチャー１１への入力タイミングを合わせた上でマトリクススイッチャー１１の切替制御を行って映像・音声合成器１６で任意の映像素材と任意の音声素材とを合成し、ビデオサーバ１７に記録するようにしている。
【００２５】
従って、ＶＴＲ１２及びＤＶＤレコーダ１３に映像素材を記録しておき、音声素材送出器１４，１５に音声素材を記録しておくだけで、映像素材及び音声素材の送出処理からビデオサーバ１７へのＣＭ素材の記録処理までの工程が、人手を要することなく１台の端末装置１９により全て行われることになるので、映像素材と音声素材とを組み合わせたＣＭ素材を編集してＶＴＲ１２もしくはＤＶＤレコーダ１３に記録しておく必要がなく、ＣＭ素材の編集から放送までの処理を簡単かつ短時間に行なえるようになり、オペレータの負担を大幅に軽減できる。
【００２６】
また、ＶＴＲ１２に記録されている映像素材及び音声素材送出器１４に記録されている音声素材のうち、将来放送されるＣＭ素材で使用できるものは再度使用できるので、この点でもＣＭ素材の編集から放送までの処理を簡単かつ短時間に行なうことができ、操作者の負担を大幅に軽減できる。
【００２７】
また、上記実施形態では、ＤＶＤレコーダ１３に静止画像素材が記録されており、例えば地方のＣＭのように静止画像素材と音声素材との組み合わせによるＣＭ素材を放送する場合に、ＤＶＤレコーダ１３から任意の静止画像素材を読み出すだけでよいので、従来ではオペレータにより静止画像素材と音声素材とを組み合わせて編集する場合に比して、ＣＭ素材の編集から放送までの処理を簡単かつ短時間に行なうことができる。
【００２８】
なお、上記実施形態では、マトリクススイッチャー１１の入力チャンネルに空きがある場合に、文字またはテキストデータからなるデータ素材を記録した送出器を接続することができる。このようにすれば、任意の映像素材と任意の音声素材と任意のデータ素材とを組み合わせたＣＭ素材を容易に生成できる。
【００２９】
また、上記実施形態では、ＣＭ素材を取り扱う例について説明したが、例えば放送番組等を取り扱うようにしてもよい。
【００３０】
その他、放送素材編集装置の構成、ＣＭ素材をビデオサーバに記録する際の端末装置の制御手順とその内容等についても、この発明の要旨を逸脱しない範囲で種々変形して実施できる。
【図面の簡単な説明】
【００３１】
【図１】この発明の一実施形態となる放送素材編集装置の構成を示すブロック図。
【図２】図１に示した端末装置の制御手順を示すフローチャート。
【符号の説明】
【００３２】
１１…マトリクススイッチャー、１２…ＶＴＲ、１３…ＤＶＤレコーダ、１４，１５…音声素材送出器、１６…映像・音声合成器、１７…ビデオサーバ、１８…制御ＬＡＮ、１９…端末装置、２０…映像モニタ・オーディオスピーカ、１９１…ディスプレイ、１９２…キーボード／マウス。
【図１】
0004519737.tif 000002
【図２】
0004519737.tif 000003